(57)【特許請求の範囲】
【請求項１】
第１の面及び第２の面を有する第１のフラップを備える第１のパネルと、
第１の面及び第２の面を有する第２のフラップを備える第２のパネルであって、当該第２のパネルが前記第１のパネルに付着されており、前記第１のパネル及び当該第２のパネルの一部がチャンバ及び出口を画成している、第２のパネルと、
外側に垂直に折られた前記第１のフラップと、前記第１のフラップとは反対の外側に垂直に折られた前記第２のフラップとにより形成されたベース部であって、該ベース部の底面が前記第１のフラップの前記第１の面と前記第２のフラップの前記第１の面とにより形成される、該ベース部と、
前記ベース部の底面に取外し可能に付着され、かつ、前記第１のパネル及び前記第２のパネルにより形成される前記出口を取外し可能にカバーしている帯状片と、
を備えるパウチ。
【請求項２】
前記第１のパネル及び前記第２のパネルが、前記第１のパネル及び前記第２のパネルの縁部に沿って取着されて、チャンバを画成している、請求項１に記載のパウチ。
【請求項３】
前記第１のパネル及び前記第２のパネル内に配置されている製品を備える、請求項１に記載のパウチ。
【請求項４】
前記第１のパネル及び前記第２のパネルが、開口を画成している、請求項１に記載のパウチ。
【請求項５】
前記第１のパネル及び前記第２のパネルの少なくとも一つが透明な部分及び不透明な部分を備える、請求項１に記載のパウチ。
【請求項６】
前記取外し可能な帯状片がプルタブを備える、請求項１に記載のパウチ。
【請求項７】
前記取外し可能な帯状片がリングを備える、請求項１に記載のパウチ。
【請求項８】
前記第１のパネル及び前記第２のパネルの少なくとも一つが、金属ホイル、高バリヤ性レトルトフィルム、高分子材料及びこれらの組み合わせからなる群から選ばれる材料を備える、請求項１に記載のパウチ。
【請求項９】
前記取外し可能な帯状片が、熱可塑性材料に取着されている接着剤層を備える、請求項１に記載のパウチ。
【請求項１０】
当該パウチが、前記ベース部に垂直に立つように構成及び配置されている、請求項１に記載のパウチ。
【請求項１１】
前記第１のパネル及び前記第２のパネルの少なくとも一つが、リングを備える、請求項１に記載のパウチ。
【請求項１２】
第１のフラップを備える第１のパネルであって、前記第１のフラップは当該第１のパネルより幅広い、第１のパネルと、
前記第１のパネルに取着されている、第２のフラップを備える第２のパネルであって、前記第２のフラップが、当該第２のパネルより幅広く、前記第１のパネル及び当該第２のパネルの一部がチャンバ及び出口を画成しており、前記第１のパネル及び当該第２のパネルが開口を画成している、第２のパネルと、
外側に垂直に折られた前記第１のフラップと、前記第１のフラップとは反対の外側に垂直に折られた前記第２のフラップとにより形成されたベース部であって、該ベース部の底面が前記第１のフラップの第１の面と前記第２のフラップの第１の面とにより形成される、該ベース部と、
前記ベース部の底面に取外し可能に付着され、かつ、前記第１のパネル及び前記第２のパネルによって形成される前記出口をカバーしている、帯状片と、
を備えるパウチ。
【請求項１３】
前記第１のパネル及び前記第２のパネルが、前記第１のパネル及び前記第２のパネルの縁部に沿って取着されている、請求項１２に記載のパウチ。
【請求項１４】
前記第１のパネル及び前記第２のパネルの少なくとも一つが、透明な部分及び不透明な部分を備える、請求項１２に記載のパウチ。
【請求項１５】
前記第１のパネル及び前記第２のパネルの少なくとも一つが、金属ホイル、高バリヤ性レトルトフィルム、高分子材料及びその組み合わせからなる群から選ばれる材料を備える、請求項１２に記載のパウチ。
【請求項１６】
前記取外し可能な帯状片が、熱可塑性材料に取着されている接着剤層を備える、請求項１２に記載のパウチ。
【請求項１７】
内側を有する第１のフラップを備える第１のパネルを用意するステップと、
内側を有する第２のフラップを備える第２のパネルを、前記第１のパネル及び前記第２のパネルの縁部に沿って前記第１のパネルにシールして、チャンバを画成するステップであって、前記第１のパネル及び前記第２のパネルの一部が出口を画成している、ステップと、
前記第１のフラップを外側に垂直に折ると共に、前記第２のフラップを前記第１のフラップとは反対の外側に垂直に折ることによりベース部を形成するステップであって、該ベース部の底面が前記第１のフラップの内側面と前記第２のフラップの内側面とにより形成される、該ステップと、
前記ベース部の底面に取外し可能な帯状片を付着するステップであって、前記帯状片が前記第１のパネル及び前記第２のパネルによって形成される前記出口をカバーしている、ステップと、
を備える、パウチの製造方法。
【請求項１８】
前記取外し可能な帯状片を付着する前記ステップの前に、前記パウチの前記チャンバ内に製品を用意するステップを備える、請求項１７に記載の製造方法。
【請求項１９】
前記第１のパネル及び前記第２のパネルの縁部が、取外し可能にシールされる出口を画成している、請求項１７に記載の製造方法。
【請求項２０】
第１のフラップを備える第１のパネルと、
前記第１のパネルに取着されており、第２のフラップを備える第２のパネルであって、前記第１のパネル及び当該第２のパネルの一部が、製品を備えるチャンバ及び出口を画成している、第２のパネルと、
外側に垂直に折られた前記第１のフラップと、前記第１のフラップとは反対の外側に垂直に折られた前記第２のフラップとにより形成されたベース部であって、該ベース部の底面が前記第１のフラップの第１の面と前記第２のフラップの第１の面とにより形成される、該ベース部と、
前記ベース部の底面に取外し可能に付着され、かつ、前記第１のパネル及び前記第２のパネルにより形成される前記出口をカバーしている帯状片と、
を備えるパウチを用意するステップと、
前記第１のフラップ及び前記第２のフラップから前記帯状片を取り除くステップと、
前記出口を通して前記パウチから前記製品を取外すために、前記第１のパネル及び前記第２のパネルの一部に沿ってパウチを押しつぶすステップと、
を備える、製品の包装方法。
【請求項２１】
前記製品が食用製品を含む、請求項２０に記載の包装方法。
【請求項２２】
前記第１のパネル及び前記第２のパネルの縁部が取外し可能にシールされる出口を画成している、請求項２０に記載の包装方法。
【請求項２３】
第１のフラップを備える第１のパネルと、
前記第１のパネルに取着されており、第２のフラップを備える第２のパネルであって、前記第１のパネル及び当該第２のパネルの一部が、製品を備えるチャンバ及び出口を画成している第２のパネルと、
外側に垂直に折られた前記第１のフラップと、前記第１のフラップとは反対の外側に垂直に折られた前記第２のフラップとにより形成されたベース部であって、該ベース部の底面が前記第１のフラップの第１の面と前記第２のフラップの第１の面とにより形成される、該ベース部と、
前記ベース部の底面に取外し可能に付着され、かつ、前記第１のパネル及び前記第２のパネルにより形成される前記出口をカバーしている帯状片と、
を備えるパウチを用意するステップと、
前記パウチを展示するステップと、
を備えている、製品の販売方法。
【請求項２４】
前記パウチが、前記ベース部において前記パウチを立てることによって展示される、請求項２３に記載の販売方法。
【請求項２５】
前記第１のパネル及び前記第２のパネルが開口を画成しており、前記パウチをペグに吊ることによって、前記パウチが展示される、請求項２３に記載の販売方法。
【請求項２６】
パウチ内の物質からなる消費者製品であって、
前記パウチが、
第１の面及び第２の面を有する第１のフラップを備える第１のパネルと、
第１の面及び第２の面を有する第２のフラップを備える第２のパネルであり、当該第２のパネルが前記第１のパネルに取着されており、前記第１のパネル及び当該第２のパネルの一部がチャンバ及び出口を画成している、第２のパネルと、
外側に垂直に折られた前記第１のフラップと、前記第１のフラップとは反対の外側に垂直に折られた前記第２のフラップとにより形成されたベース部であって、該ベース部の底面が前記第１のフラップの前記第１の面と前記第２のフラップの前記第１の面とにより形成される、該ベース部と、
前記ベース部の底面に取外し可能に付着され、かつ、前記第１のパネル及び前記第２のパネルにより形成される前記出口を取外し可能にカバーしている帯状片と、
を備える、消費者製品。
【請求項２７】
前記物質が食品である、請求項２６に記載の消費者製品。
【請求項２８】
前記物質が、フルーツ、野菜、ナッツ、抽出し加工された食品、ローフード、加工食品又は肉の一つ又はそれ以上である、請求項２７に記載の消費者製品。
【請求項２９】
前記物質が肉である、請求項２７に記載の消費者製品。
【請求項３０】
前記物質が、押出し加工された食品である、請求項２７に記載の消費者製品。
【請求項３１】
前記食品が、ペットフードである、請求項３０に記載の消費者製品。
【請求項３２】
パウチ及び消費者製品を収容及び展示するために適するデバイスを備える製品ディスプレイであって、
前記パウチが、
第１のフラップを備える第１のパネルと、
前記第１のパネルに取着されており、第２のフラップを備える第２のパネルであり、前記第１のパネル及び当該第２のパネルの一部が、製品を備えるチャンバ及び出口を画成する、第２のパネルと、
外側に垂直に折られた前記第１のフラップと、前記第１のフラップとは反対の外側に垂直に折られた前記第２のフラップとにより形成されたベース部であって、該ベース部の底面が前記第１のフラップの第１の面と前記第２のフラップの第１の面とにより形成される、該ベース部と、
前記ベース部の底面に取外し可能に付着され、かつ、前記第１のパネル及び前記第２のパネルによって形成される前記出口をカバーしている帯状片と、を備える、製品ディスプレイ。
【請求項３３】
前記消費者製品が、パウチ内の物質からなる、請求項３２に記載の製品ディスプレイ。
【請求項３４】
テーブルの上に又は壁掛けケースに自立する手段を含む、請求項３２に記載の製品ディスプレイ。
【発明の詳細な説明】
【関連出願の相互参照】
【０００１】
[0001]  本願は、２００７年１１月１９日付けで提出された米国仮出願番号６１／００３６３８の優先権を主張しており、この仮出願の内容は参照によりここに組み込まれる。
【技術分野】
【０００２】
[0002]  本発明は、製品容器に関し、特に、ある物質及び材料を収容するために有用な底部開口付きパウチ及びこのようなパウチを用いて作られる消費者製品に関する。
【背景技術】
【０００３】
[0003]  製品用容器又はパッケージは、いろいろなサイズ及び形状に設計され、いろいろな用途に用いられる。簡単に開けることができ、かつ、パッケージ内に収容される商品に消費者が簡単に接することができるパッケージは、特に人気がある。製品の販売において、すぐ展示できる容器が好ましい。同様に、ディスプレイのスペースを最大限にし、かつ、ディスプレイの所望の外観を増大させるパッケージは、消費者により魅力的である。これにより、消費者製品の販売を拡大することができる。さらに、多くの包装製品には触れると悪影響を与えるか、触れるのが望ましくない。したがって、消費者の必要に応じたパウチのような新しい容器を必要とし、特に、容易に開口及び取扱いをすることができるパウチ、及び／又は、消費者が内容物に触れることなく内容物を分配することができるパウチを必要とする。
【０００４】
[0004]  米国特許第６２７０８２１号明細書は、家畜製品のような肉製品を収容するために有用な多目的販売用パウチについて開示している。米国特許出願公開第２００５０２７６８８５号明細書は、電子レンジで食品を加熱するために用いられる、蒸気抜き可能な電子レンジ対応パウチについて開示している。このパウチは、電子レンジで食品を十分に加熱するとき、加熱されるパウチ内の食品によって発生される蒸気を放散するために破れる部分を有する破裂可能なシールを含む。米国特許出願公開第２００７０１４８２９５号明細書は、室温で安定に長持ちできる、フレキシブルなプラスチックパウチタイプのパッケージに収容されている、速消費用食品の製造方法について開示している。この製造方法は、パウチから酸素を取り除くステップと、パウチ内に適量の肉及びソースを入れた後、パウチをシールするステップと、パウチを殺菌するステップと、パウチを冷却するステップと、パウチをインキュベートするステップとを含む。米国特許出願公開第２００７０１８４１５４号明細書は、パウチ内の圧力が高温ガスによって所定の圧力を上回ると、予測位置においてパウチが破裂及び爆発する脆弱部分を有する刻み目を入れた層を含むカバーを備えている、食品を調理するために用いられるパウチについて開示している。
【発明の概要】
【０００５】
[0005]  本発明は、新しいパッケージ並びにそのパッケージの製造方法及び使用方法を提供する。一般実施形態において、本発明は、第１の面及び第２の面を有する第１のフラップを備える第１のパネルと、第１の面及び第２の面を有する第２のフラップを備える第２のパネルとを備えているパウチを提供する。第２のパネルは、第１のパネルに取着されており、第１のパネル及び第２のパネルの一部は、チャンバ及び出口を画成する。パウチは、第１のフラップの第１の面の一部及び第２のフラップの第１の面の一部に取外し可能に付着されて、かつ、第１のパネル２０及び第２のパネルによって形成される出口をカバーしている帯状片を更に備えている。
【０００６】
[0006]  一実施形態において、第１のパネル及び第２のパネルは、第１のパネル及び第２のパネルの縁部に沿って取着されており、チャンバを画成する。他の実施形態において、パウチは、第１のパネル及び第２のパネルの中に配置される製品を備えている。更なる実施形態において、第１のパネル及び第２のパネルは開口を画成する。
【０００７】
[0007]  他の実施形態において、第１のパネル及び第２のパネルの少なくとも一つが、透明な部分及び不透明な部分を含む。更なる実施形態において、取外し可能な帯状片はプルタブを備えている。他の実施形態において、取外し可能な帯状片がリングを備えている。
【０００８】
[0008]  他の実施形態において、第１のパネル及び／又は第２のパネルは、金属ホイル、高バリヤ性レトルトフィルム、高分子材料、又はこれらの組み合わせからなる。
【０００９】
[0009]  他の実施形態において、取外し可能な帯状片は、熱可塑性材料に付着されている接着剤層を備える。
【００１０】
[0010]  他の実施形態において、パウチは、第１のフラップ及び第２のフラップによって形成される面に垂直に立つように構成及び配置される。
【００１１】
[0011]  他の実施形態において、第１のパネル及び／又は第２のパネルはリングを備えている。
【００１２】
[0012]  他の実施形態において、本発明は、第１のフラップを備える第１のパネルと、第１のパネルに取着されている第２のフラップを備える第２のパネルとを備えているパウチを提供する。第１のフラップは第１のパネルより幅広く、第２のフラップは第２のパネルより幅広い。第１のパネル及び第２のパネルの一部は、チャンバ及び出口を画成する。第１のパネル及び第２のパネルは開口を画成する。パウチは、第１のフラップ及び第２のフラップに取外し可能に付着されている帯状片を更に備えており、結果、第１のパネル及び第２のパネルによって形成される出口をカバーしている。
【００１３】
[0013]  更なる実施形態において、第１のパネル及び第２のパネルは、第１のパネル及び第２のパネルの縁部に沿って取着されている。
【００１４】
[0014]  本発明は、例えば、改良されたパッケージ、改良されたパウチ及びパウチの使用方法、パウチの改良された製造方法並びに製品の改良された製造方法を提供するとの様々な利点を有する。
【００１５】
[0015]  本発明の他のかつ更なる目的、特徴及び利点は、当業者が見て分かるであろう。
【図面の簡単な説明】
【００１６】
【図１】本発明の一実施形態におけるパウチの底部からの斜視図である。
【図２】本発明の一実施形態における立ち位置にあるパウチの斜視図である。
【図３】本発明の一実施形態における使用状態にあるパウチの斜視図である。
【図４】本発明の他の実施形態におけるパウチの底部からの斜視図である。
【発明を実施するための形態】
【００１７】
[0020]  一態様において、本発明は、パッケージ並びにそのパッケージの製造方法及び使用方法を提供し、特に、パウチを備えているパッケージを提供する。例えば、パウチは、簡単に開けることができ、また、開けられると、パウチから製品を取り出しやすくする開口部を提供することができる。パウチは、食品又はペットフードのようないかなる種類の製品を収容するのにも適している。パウチは、シール付きプルタブを取り外すことによって、底部を開けることができる。開けられたパウチは、消費者が製品に触れることなく製品を取り出しやすくする広い開口部を有することができる。また、パウチの開口部部分は、パウチを棚又は展示台上に立てることができるように構成され得る。
【００１８】
[0021]  図１及び図２に示した一般実施形態において、本発明は、第１の面２４（例えば内側面）及び第２の面２６を有する第１のフラップ２２を備えている第１のパネル２０と、第１の面３４（例えば内側面）及び第２の面３６を有する第２のフラップ３２を備えている第２のパネル３０と、を備えるパウチ１０を提供する。例えば、第１の面２４すなわち第１のフラップ２２の内側面、及び、第１の面３４すなわち第２のフラップ３２の内側面は、第１のパネル２０及び第２のパネル３０の同一内面又は同一面に対応する。第２のパネル３０は第１のパネル２０に取着している。例えば、第１のパネル２０及び第２のパネル３０は、例えばヒートシール、接着剤、超音波溶着及び機械的締結具等の任意の適当な固定手段を用いて、第１のパネル２０及び第２のパネル３０の縁部に沿って取着することができる。
【００１９】
[0022]  第１のパネル２０及び第１のフラップ２２は、同一又は異なる材料で作られる一体品からなるものとすることができる。同様に、第２のパネル３０及び第２のフラップ３２も、同一又は異なる材料で作られる一体品からなるものとすることができる。また、他の実施形態において、フラップがその対応するパネルより幅広く（例えば一側から他側までを広く）することもできる。これによって、展示中パウチが立っているとき、より安定したベース部又は基礎をパウチに与えることができる。
【００２０】
[0023]  パウチ１０は、第１のフラップ２２の第１の面２４の一部及び第２のフラップ３２の第１の面３４の一部に取り外し可能に付着される帯状片５０を備えることができる。例えば、第１のフラップ２２及び第２のフラップ３２は、帯状片５０が第１のフラップ２２及び第２のフラップ３２の第１の面２４及び第１の面３４の一部に付着され得るように外側へ折られている。この実施形態において、例えばユーザが帯状片５０をパウチ１０から容易に取り外せるように、取り外し可能な帯状片５０はプルタブ５２を備えている。
【００２１】
[0024]  縁部４０に沿って互いに取着されている第１のパネル２０及び第２のパネル３０は、食品又はペットフードのような製品を収容するためのチャンバを画成する。あるいは、他の適当な非消耗製品をパウチに収容してもよい。
【００２２】
[0025]  また、図３に示したように、帯状片５０が取り外された後、例えばパウチを押しつぶすことによって、製品をパウチ１０から取り出すことができるように、縁部４０に沿って互いに取着されている第１のパネル２０及び第２のパネル３０は、第１のフラップ２２及び第２のフラップ３２の近くに出口又は開口部も画成する。出口を形成する第１のパネル２０及び第２のパネル３０の一部は、パッケージの出口の部分で取り外し可能にシールされ得ることを理解すべきである。結果として、帯状片５０を取り外した後、図１に示したように、ユーザ又は消費者は、第１のフラップ３０及び第２のフラップ３２を互いから引き離してもよく、第１のパネル２０と第２のパネル３０との間のシールを破って、出口を露出させてもよい。
【００２３】
[0026]  パウチ１０の出口は適当なサイズにすることができる。例えば、代替的な実施形態において、パウチは、パウチから製品を出しやすくするためのより広い開口部位、又は製品をより調整的に取り出すためのより小さい開口部を有してもよい。
【００２４】
[0027]  図１及び図２に示したように、第１のパネル２０及び第２のパネル３０は、開口４２又は他の適当な穴を画成することができる。開口４２は、例えばストアの棚にペグボードを用いて、展示中にパウチを吊るために用いられ得る。
【００２５】
[0028]  第１のパネル２０及び／又は第２のパネル３０の一つ又はそれ以上の部分が、透明な部分６０及び不透明な部分６２を備えることができる。これによって、消費者はパウチ１０の内部にある製品を見ることができる。第１のパネル２０及び第２のパネル３０は、部分的に又は全体的に透明、半透明又は不透明であり得ることを理解すべきである。これにより、パウチ内の製品に更なるマーケティングの機会を与えることができる。透明な部分６０及び不透明な部分６２は、消費者が、望みの通りに少しだけでもしっかりとでもパウチ内製品を見ることができる。
【００２６】
[0029]  第１のパネル２０及び第２のパネル３０は、例えば、酸化アルミニウム被覆フィルム又は酸化ケイ素被覆フィルムのような高バリヤ性レトルトフィルムのような適当な材料で作ることができる。第１のフラップ２２及び第２のフラップ３２も、例えば高バリヤ性レトルトフィルムのような適当な材料で作ることができる。フィルムは単層フィルム又は多層フィルムにすることができる。第１のパネル２０及び／又は第２のパネル３０も、アルミニウムホイル材料のような金属ホイル又は高分子材料にすることができる。
【００２７】
[0030]  取外し可能な帯状片５０は適当な材料で作ることができ、また、例えば第１のフラップ２２及び第２のフラップ３２に付着される接着剤層のような適当な付着手段によって、第１のフラップ２２及び第２のフラップ３２の一部に接着することができる。帯状片５０は単層フィルム又は多層フィルムで作ることができる。帯状片５０は、ポリプロピレンのような適当なポリマーからなり得る、シーラント層から容易に剥離される特徴を有する任意のレトルト材料で作ることもできる。
【００２８】
[0031]  一実施形態において、図２に示したように、パウチ１０は、第１のフラップ２２及び第２のフラップ３２で成す面に垂直に立つように構成又は配置される。例えば、これによって、パウチをストアの棚又はテーブルに立てて展示することができる。
【００２９】
[0032]  他の実施形態において、第１のパネル及び第２のパネルはリングを備える。例えば、このリングは、第１のパネル及び／又は第２のパネルの縁部に取り付けられ、パウチ内の製品を露出させるために、ユーザが握って、第１のパネル及び第２のパネルを互いに引き離すためのホールを画成する。取外し可能な帯状板は、第１のパネル及び／又は第２のパネルの外部表面を部分的に又は全体的にカバーすることができ、そのため、リングの表面部位を含む、
【００３０】
[0033]  図４に示した他の実施形態において、本発明は、第１のフラップ１２２を備えている第１のパネル１２０と、第２のフラップ１３２を備えている第２のパネル１３０とを備えるパウチ１１０を提供する。第２のパネル１３０は、例えば第１のパネル１２０及び第２のパネル１３０の縁部１４０に沿って、第１のパネル１２０に取着される。第１のパネル１２０及び第２のパネル１３０の一部は、製品を収容するためのチャンバ、及び、製品を出すための出口を画成する。パウチ１１０は、第１のフラップ１２２及び第２のフラップ１３２の一部に取外し可能に付着され、第１のパネル１２０及び第２のパネル１３０によって形成される出口をカバーしている帯状片１５０を更に備えている。この実施形態において、取外し可能な帯状片１５０はリング１５２を備えている。
【００３１】
[0034]  第１のパネル１２０及び第１のフラップ１２２は、同一又は異なる材料で作られる一体品からなるものとすることができることを理解すべきである。同様に、第２のパネル１３０及び第２のフラップ１３２も、同一又は異なる材料で作られる一体品からなるものとすることができる。この実施形態において、第１のパネル及び第２のパネルの一つ以上の部分が、透明な部分や不透明な部分からなるものとすることができる。
【００３２】
[0035]  出口を形成する第１のパネル１２０及び第２のパネル１３０の一部は、パッケージの出口の部分を取外し可能にシールすることができる。結果として、図４に示したように、帯状片１５０を取り外した後、ユーザ又は消費者は、第１のフラップ１２２及び第２のフラップ１３２を互いから引き離して、第１のパネル１２０と第２のパネル１３０との間のシールを破って、出口を露出させてもよい。
【００３３】
[0036]  図３に示したような他の態様において、本発明は、パウチの使用方法を提供する。この使用方法は、第１のフラップを備えている第１のパネルと、第２のフラップを備えており、第１のパネル及び第２のパネルの一部が、製品を有するチャンバ及び取外し可能にシールされる出口を画成するように、第１のパネルに取着されている第２のパネルと、を備えているパウチを用意するステップを含んでいる。
【００３４】
[0037]  帯状片は、第１のフラップ及び第２のフラップの一部に取外し可能に付着され、第１のパネル及び第２のパネルによって形成される、取外し可能にシールされる出口をカバーする。帯状片を第１のフラップ及び第２のフラップから取外してから、第１のパネル及び第２のパネルの一部に沿ってパウチを押しつぶして、取外し可能にシールされている出口を通して製品をパウチから取り出す。必要ならば、ユーザ又は消費者は、出口及び／又は容器内製品を露出させるために、第１のフラップ及び第２のフラップを互いに引き離すことができる。製品は、例えばレトルト食肉加工品のような食用製品であり得る。
【００３５】
[0038]  他の態様において、本発明は、パウチの製造方法を提供する。この製造方法は、第１のフラップを備えている第１のパネルを用意するステップと、第１のパネル及び第２のパネルの一部が出口（好ましくは、取外し可能にシールされる出口）を画成するようにチャンバを画成するために、第１のパネル及び第２のパネルの縁部に沿って第１のパネルに、第２のフラップを備えている第２のパネルをシールするステップとを備えている。このシールするステップは、例えば、互いの縁部を合わせてヒートシールする、両縁部の間に接着剤を塗布する、又は、両縁部に機械的な締結具を用いるような適当な手段を用いて行うことができる。第１のパネル及び第２のパネルを出口位置においてシールするステップは、シーラーを用いることによって行うことができ、結果、出口及び／又はチャンバ内製品を露出させるために、消費者は二つのパネルを互いから引き離すことができる。この製造方法は、第１のフラップ及び第２のフラップの一部に取外し可能な帯状片を付着するステップと、第１のパネル及び第２のパネルで形成される、取外し可能にシールされる出口をカバーするステップとを更に含む。
【００３６】
[0039]  一実施形態において、この製造方法は、取外し可能な帯状片を付着するステップの前に、パウチのチャンバ内に製品を入れるステップを含む。例えば、製品を、パウチの各端部から予め形成されたパウチの中に取り入れることができる。パウチの製造方法は、既存のレトルトパウチを充てんする手段と、製品を機械的にシールするステップとを用いることができることを理解すべきである。パウチが充填された後、充填済みパウチの縁部は、例えばヒートシール、接着剤、超音波溶着、同様なものを用いて互いに合わせてシールすることができる。
【００３７】
[0040]  この製造方法は、第１のフラップ及び第２のフラップの内側部分に、取外し可能な帯状片を付着するステップと、第１のパネル及び第２のパネルによって形成される出口をカバーするステップとを更に含む。
【００３８】
[0041]  一実施形態において、製造方法は、取外し可能な帯状片を付着するステップの前に、パウチのチャンバ内に製品を入れるステップを含む。
【００３９】
[0042]  他の態様において、本発明は、製品の包装方法を提供する。この包装方法は、第１のフラップを備えている第１のパネルと、第２のフラップを備えており、第１のパネル及び第２のパネルの一部が出口及び製品を収容するチャンバを画成するように、第１のパネルに取着される第２のパネルと、を備えているパウチを用意するステップを備えている。帯状片は、第１のフラップ及び第２のフラップの内側部分に取外し可能に付着され、その結果、第１のパネル及び第２のパネルによって形成される出口をカバーすることができる。帯状片を第１のフラップ及び第２のフラップから取り外してから、第１のパネル及び第２のパネルの一部に沿ってパウチを押しつぶして、出口を通して製品をパウチから取り出す。
【００４０】
[0043]  他の実施形態において、製品は食用製品からなる。
【００４１】
[0044]  他の態様において、本発明は製品の販売方法を提供する。この販売方法は、第１のフラップを備えている第１のパネルと、第２のフラップを備えており、第１のパネルに取着される第２のパネルと、を備えているパウチを用意するステップを備えている。第１のパネル及び第２のパネルの一部は、製品を収容するチャンバ及び出口を画成する。帯状片は、第１のフラップ及び第２のフラップの内側部分に取外し可能に付着され、その結果、第１のパネル及び第２のパネルによって形成される出口をカバーする。その後、パウチは適当な手法で展示される。
【００４２】
[0045]  一実施形態において、パウチは、第１のフラップ及び第２のフラップの一部に付着されている取り外し可能な帯状片５０によって与えられるベース部上においてパウチを立てることによって展示される。
【００４３】
[0046]  一実施形態において、第１のパネル及び第２のパネルは、開口を画成し、パウチは、ペグにパウチを吊ることによって展示される。
【００４４】
[0047]  他の態様において、本発明は、消費者製品を提供する。この製品は、パウチ内の材料又は物質からなる。パウチは、第１の面及び第２の面を有する第１のフラップを備えている第１のパネルと、第１の面及び第２の面を有する第２のフラップを備えている第２のパネルであって、第１のパネルに取着されて、第１のパネル及び第２のパネルの一部がチャンバ及び出口を画成する第２のパネルと、第１のフラップの第１の面の一部及び第２のフラップの第１の面の一部に取外し可能に付着されて、第１のパネル及び第２のパネルによって形成される出口をカバーする帯状片と、を備えている。物質は、パウチに入れるために適する任意の物質にすることができる。一実施形態において、物質は食品である。食品は、フルーツ、野菜、ナッツ、ローフード、加工食品、肉、同様なものであることができ、肉が好ましい。肉は、加工肉又は丸肉（whole meat）であり得る。好ましい実施形態において、肉は鶏肉である。他の実施形態において、物質は、押出し加工された食品であり、好ましくはペットフードである。より好ましい実施形態において、製品は、ペットフード、スナック菓子又はおやつに用いられる生肉又は調理済み肉であり、ペットのおやつに使える鶏肉であることがより好ましい。
【００４５】
[0048]  物質又は材料は、洗剤、プラスチックスプーン及びフォーク、腐食・漂白剤、ソース、塗料、同様なもののような非食用物質又は材料であり得る。例えば、物質又は材料に触れるのが好ましくない、物質又は材料に触れると消費者に悪影響を与える、又は、物質又は材料に触れると物質又は材料を汚すという美学又は物理的な理由から、消費者が触れるのを避ける傾向にある物質及び材料を収容するために、このパウチは特に有用である。
【００４６】
[0049]  他の態様において、本発明は製品ディスプレイを提供する。この製品ディスプレイは、ここに記載のパウチ又は消費者製品を収容及び表示するために適するデバイスからなる。この製品ディスプレイは、パウチ又は消費者製品に適する任意のデバイスであり得るが、テーブルの上に又は壁掛けケースに自立することが好ましい。パウチは、第１の面及び第２の面を有する第１のフラップを備えている第１のパネルと、第１の面及び第２の面を有する第２のフラップを備えている第２のパネルであって、第２のパネルが第１のパネルに取着されており、第１のパネル及び第２のパネルの一部はチャンバ及び出口を画成する、第２のパネルと、第１のフラップの第１の面の一部及び第２のフラップの第１の面の一部に付着されて、第１のパネル及び第２のパネルによって形成される出口を取外し可能にカバーしている帯状片と、を備えている。この製品ディスプレイは、本製品に消費者の注意を引くことによって、パウチ又は消費者製品を販売するために有用である。
【００４７】
[0050]  他の定義を除いて、ここで用いる全ての技術用語、科学用語及び任意のアクロステックは、本発明の属する技術分野における通常の技術者に一般的に知られているようなことと同じ意味を有する。ここに記載されているものと類似又は同等な任意の組成物、方法、製造品、他の手段又は材料も本発明の実施するために用いることができるが、好ましい組成物、方法、製造品、手段又は材料はここに記載されている。
【００４８】
[0051]  特に、ここでは本発明の代表的に好ましい実施形態を開示し、かつ、具体例を用いたが、これらは制限的な目的ではなく、一般的、かつ、説明的な意味にのみ用いられ、本発明の範囲は特許請求の範囲に記載した。上記記載を考慮すると、本発明の様々な改良及び変更が可能であることが明らかである。したがって、具体的な記載と違う方法で実施される発明が特許請求の範囲に包含されることは理解できるであろう。
【図１】
0005411154.tif 000002
【図２】
0005411154.tif 000003
【図３】
0005411154.tif 000004
【図４】
0005411154.tif 000005